(57)【要約】少なくとも１つの水平軸の周りを揺動する家具のリーフ用のヒンジ（１）であって、当該ヒンジは、家具の内部に適用されるように構成された支持体（２）と、一端部において支持体（２）に接続され、反対側の端部において、リーフに固定された固着要素（５）に接続されるように構成された少なくとも１つの回動レバー（４）と、を備える。少なくとも１つのレバー（４）は、支持体から離れている中間体（７）に回動するように適用されている。
2018518611.tif 000002
【特許請求の範囲】
【請求項１】
少なくとも１つの水平軸の周りを揺動する家具のリーフ用のヒンジ（１）であって、
家具の内部に適用されるように構成された支持体（２）と、
一端部において前記支持体（２）に接続され、反対側の端部において、リーフ（６）に固定された固着要素（５）に接続されるように構成された少なくとも１つの回動レバー（４）と、
を備える前記ヒンジ（１）において、
前記少なくとも１つのレバー（４）は、前記支持体（２）から離れている中間体（７）に回動するように適用されていることを特徴とする、ヒンジ。
【請求項２】
前記中間体（２）には、前記リーフの垂直調整用の調整手段（８）が設けられ、前記調整手段（８）は、前記中間体（７）が前記支持体（２）に収容されているとき、前記支持体（２）内に規定された座部（９）に係合するように構成されていることを特徴とする、請求項１に記載のヒンジ。
【請求項３】
前記支持体（２）は、複数の誘導手段（１０）を備え、
前記誘導手段（１０）は、前記支持体（２）内において前記中間体（７）の誘導された摺動を可能にするように構成されていることを特徴とする、請求項１又は２に記載のヒンジ。
【請求項４】
前記支持体（２）には、前記リーフを制動するための制動装置（１２）が設けられていることを特徴とする、請求項１から３のいずれか１項に記載のヒンジ。
【請求項５】
前記支持体（２）には、前記中間体の挿入用の端部の反対側の端部において、前記支持体（２）内において前記中間体（７）用の保持クリップ（１３）が設けられていることを特徴とする、請求項１から４のいずれか１項に記載のヒンジ。
【請求項６】
前記保持クリップ（１３）は、前記支持体（２）によって移動可能であり、且つ前方方向において調整可能のように支持されていることを特徴とする、請求項５に記載のヒンジ。
【請求項７】
前記支持体（２）には、横方向の調整用の手段（１４’）が設けられていることを特徴とする、請求項１から６のいずれか１項に記載のヒンジ。
【請求項８】
前記固着要素（５）は、前記リーフの厚さ内に埋め込まれていることを特徴とする、請求項１から７のいずれか１項に記載のヒンジ。
【請求項９】
前記中間体（７）は、回動中にリーフを支持するためのスプリング負荷作動手段（１１）を収容していることを特徴とする、請求項１から８のいずれか１項に記載のヒンジ。
【請求項１０】
前記支持体（２）は、逆Ｕ字型のように成形され、前記中間体（７）を収容するように構成されていることを特徴とする、請求項１から９のいずれか１項に記載のヒンジ。
【請求項１１】
前記支持体（２）は、管状の断面を有することを特徴とする、請求項１から１０のいずれか１項に記載のヒンジ。
【請求項１２】
請求項１から１１のいずれか１項に記載のヒンジを取り付ける方法であって、
前記支持体（２）を家具に適用するステップと、
リーフ（６）に固着することによって、前記中間体（７）を対応するレバー（４）に固定するステップと、
対応する中間体（７）が前記リーフ（６）に固定された状態で、前記リーフ（６）を前記家具に適用し、前記中間体（７）を前記支持体（２）内において結合させるステップと、
を特徴とする、方法。
【発明の詳細な説明】
【技術分野】
【０００１】
本発明は、少なくとも１つの水平軸の周りを揺動する（ｓｗｉｎｇ）家具のリーフ用のヒンジに関する。
【０００２】
より具体的には、本発明は、少なくとも１つの水平軸に沿って上向き又は下向きに開くことができる家具のリーフ用のヒンジに関する。
【背景技術】
【０００３】
知られているように、家具の分野において、少なくとも１つの水平軸の周りで回動運動することによって、上方に引き上げて開くことができるリーフを有する家具が使用されている。
【０００４】
このタイプのリーフは、引き上げシステムを規定するヒンジを介して家具の固定部分に接続される。当該ヒンジは、家具の固定部分に接続されている支持体と、支持体によって回動可能に支持され、且つ家具のリーフに固着されるように構成された少なくとも１つの引き上げレバーと、を含む。
【発明の概要】
【発明が解決しようとする課題】
【０００５】
スプリング負荷作動装置が設けられ、当該スプリング負荷作動装置によって、開く又は閉じる回動動作中にリーフを支持することを可能にする。更に、調整システムが設けられる。これらの全てがヒンジを複雑にし、扱いづらいことが生じる。したがって、一般に、支持体及び引き上げレバーを、家具の側面に接続させる必要があり、リーフは、組み立ての最終段階でのみ引き上げレバーに接続される。
【０００６】
特に、引き上げレバーは、リーフに固着されるべき端部に固定要素を有し、当該固定要素は、締結手段によってリーフの前に固定された固着要素に接続される。
【０００７】
通常、このタイプのヒンジの組立（「ヒンジ」という用語は、引き上げる及び／又は家具のリーフを支持するためのシステムを構成する要素の全てを意味する）は、以下のステップによって実現される。
まず、ヒンジの支持体及び対応する引き上げレバーを家具の固定部分に固定する。テンプレートを用いて正しい位置に固定することが多い。
次に、固着要素をリーフに固定する。
最後に、リーフに取り付けられた固着要素を、予め支持体に固定された引き上げレバーの端部に設けられた別個の固定要素に係合させる。
【０００８】
しかしながら、前記固定作業は、一定の難しさが伴う。特に大型のリーフには、組立のために二名の作業者が必要な場合が多い。二名の作業者は、リーフを支えることと、リーフの固着要素を家具の固定部分に既に固定された引き上げシステムのレバーにおける別個の固定要素に正確に係合させるために、リーフを必要な移動をさせることとを実行する。
【課題を解決するための手段】
【０００９】
本発明の目標は、少なくとも１つの水平軸の周りを揺動する家具のリーフ用のヒンジを提供することであって、当該ヒンジは、組立が簡素化され、たとえリーフがかなりの大きさであっても、組立を一人で行うことができる。
【００１０】
前記目標内において、本発明の１つの目的は、少なくとも１つの水平軸の周りを揺動する家具のリーフ用のヒンジを提供することであって、当該ヒンジは、上向き又は下向きに開くことができるリーフのために構成され、簡単かつ迅速に取り付けることができる。
【００１１】
本発明の他の目的は、少なくとも１つの水平軸の周りを揺動する家具のリーフ用のヒンジを提供することであって、当該ヒンジは、信頼性が高く、容易かつ実用的に実施され、低コストである。
【００１２】
この目的及び以下でより明らかになるこれら及び他の目的は、少なくとも１つの水平軸の周りを揺動する家具のリーフ用のヒンジによって達成される。当該ヒンジは、
家具の内部に適用されるように構成された支持体と、
一端部が前記支持体に接続され、反対側の端部において、リーフに固定された固着要素（５）に接続されるように構成された少なくとも１つの回動レバー（４）と、
を備えるヒンジであって、
前記少なくとも１つのレバーは、前記支持体から離れている中間体に回動するように適用されていることを特徴とするヒンジである。
【００１３】
本発明のさらなる特徴及び利点は、添付の図面における限定されない例によって示される。本発明に係るヒンジの好ましいが限定的ではない実施形態の説明からより明らかになるであろう。
【図面の簡単な説明】
【００１４】
【図１】本発明に係るヒンジの分解斜視図である。
【図２】部分的に組み立てられた、本発明に係るヒンジの斜視図である。
【図３】図１及び図２のヒンジのさらなる斜視図である。
【図４】部分的に組み立てられた状態の本発明に係るヒンジの斜視図である。
【図５】組み立てられた状態の本発明に係るヒンジのさらなる斜視図である。
【図６】組み立てられた状態の本発明に係るヒンジの別の斜視図である。
【発明を実施するための形態】
【００１５】
図面を参照すれば、全体的に参照符号１で示されている本発明に係る家具は、家具の固定部分３の内部に固定されるように構成された支持体２と、持ち上げるための少なくとも１つの回動レバー４と、を含む。回動レバー４は、引き上げレバー４に接続された連結要素５’によって、家具のリーフ６に適用された固着要素５に接続するように構成されている。
【００１６】
本発明に係るヒンジは、中間体７を有し、当該中間体７は、支持体２と離れており、引き上げレバー４を回動するように支持する。
【００１７】
実質に、つまり、本発明に係るヒンジは、中間体７を導入し、引き上げレバー４は、中間体７に適用されて回動する。リーフの位置を上下に調整するため、中間体７には、カムネジ８が設けられている。中間体７が支持体２に組み付けられたとき、カムネジは、支持体２の前端に形成された座部９に係合する。
【００１８】
支持体２の内部には、複数の隆起（ｈｕｍｐｓ）又は抜き取った部分（ｄｒａｗｎ  ｐｏｒｔｉｏｎｓ）１０が設けられている。隆起又は抜き取った部分１０は、中間体７を支持体２内に挿入するための誘導要素を構成している。
【００１９】
支持体２は、好ましくは実質的に逆Ｕ字状のように成形される。しかしながら、異なる形状、例えば、管状の横断面を有する可能性も排除されない。
【００２０】
中間体７は、回動運動中にリーフ６を支持することを可能にする弾性手段１１を収容している。特に、ヒンジが上向きに開くことができるリーフを支持するように構成されている場合、弾性手段は、開く動作中にリーフを支持する必要な引き上げ力を提供するように成形及び配置される。一方、下向きに開くことができるリーフを支持するように構成される場合、弾性手段は、リーフを閉じるための力及び／又はリーフを開く動作を制御するための支持力を提供するように成形及び配置される。
【００２１】
支持体２は、制動装置１２を収容しており、制動装置１２は、引き上げレバー４と相互作用し、リーフ６の水平軸の周りの回動運動を制動する。
【００２２】
最後に、支持体２は、中間体７の挿入用の端部の反対側の後端において、クリップ１３を収容している。中間体７が支持体２に挿入されたとき、クリップ１３は、中間体７の端部１５に結合する。
【００２３】
クリップ１３は、支持体２が本体２の長手延伸方向に沿って移動可能のように、支持体２に接続される。クリップ１３の位置は、カムネジ１４によって規定及び調整することができる。このように、前方方向においてリーフ６を調整することを可能にする。
【００２４】
好適には、支持体２は、家具の壁と、家具の上面と、又は家具の水平中間平面と、又は家具の底面とによって画定された角に収容され、家具の側面又は家具の「頂部」に固定することができる。
【００２５】
更に、好ましくは、支持体２は、リーフの位置を横方向において調整することを可能にするように横方向の調整手段を有する。例えば、支持体２は、２つの展開可能なプレートによって画定された側壁を有することができ、２つのプレートの展開は、調整ネジ１４’を介して制御されるように規定される。
【００２６】
本発明に係るヒンジを取り付ける方法は以下の通りである。
【００２７】
まず、作業者は、支持体２を家具３の内部に接続し、次に、レバー４と一体の結合要素５’を固着要素５に接続させることによって中間体７及び対応するレバー４をリーフ６に接続する。固着要素５は、好ましくは、リーフ６の厚さ内に埋め込まれる。
【００２８】
レバー４の結合要素５’と固着要素５との間の結合は、好ましくは、スナップフィット係合で行われる。
【００２９】
このとき、作業者は、要素１０の誘導を利用すれば、単独で、簡単に中間体７を支持体２内に摺動させることによって、中間体７が支持体２内で係合するまで、各ヒンジの中間体７を対応する支持体２に挿入し、リーフ６を家具３に接続させることができる。
【００３０】
この作業は、助けを必要とすることなく、作業者が行うことができ、したがって、家具を組み立てるステップが簡素化される。
【００３１】
実際に、本発明に係るヒンジは、家具を組み立てる作業を簡素化すること、特に、少なくとも１つの水平軸の周りを揺動するリーフを備える家具を組み立てる作業を簡素化することができる点で、設定された目標及び目的を完全に達成したことが明らかになっている。
【００３２】
本発明は、上向きに開くリーフ及び下向きに開くリーフの両方に適用することができる。
【００３３】
このようにして考案された本発明は、多数の修正及び変形が可能であり、それらの全ては、添付の特許請求の範囲内に含まれる。
【００３４】
更に、全ての詳細は、技術的に同等の要素によって代えてもよい。
【００３５】
実際に、使用される材料、及び不特定の寸法と形状とは、要求及び技術水準に応じて任意に採用されてもよい。
【００３６】
本出願は、イタリア特許出願番号第ＭＩ２０１５Ａ０００６１８（１０２０１５９０２３４７５１６）に基づいて優先権を主張するものであり、その全体の内容が参照によりここに組み込まれる。
【００３７】
特許請求の範囲に記載されている技術的特徴の後に参照符号が付されている場合、それらの参照符号は、特許請求の範囲の明瞭性を高めるためのみに含まれている。したがって、そのような参照符号は、例としてそのような参照符号によって識別される各要素の解釈にいかなる限定的な影響も及ぼさないものである。
【図１】
2018518611.tif 000003
【図２】
2018518611.tif 000004
【図３】
2018518611.tif 000005
【図４】
2018518611.tif 000006
【図５】
2018518611.tif 000007
【図６】
2018518611.tif 000008
【国際調査報告】
2018518611.tif 000009
2018518611.tif 000010